(57)【要約】【課題】  送信装置において装置に故障が発生した場合に容易に高い確率で故障部位を判定できるような故障検出方式を得ることを目的とする。【解決手段】  ＲＦ変調部４、ＲＦ増幅部５、出力アンテナ６、電源部３から出力される各部位の動作異常の有無を示す複数のモニタ信号の組み合わせに対応して送信装置の複数の故障モードが予め設定されている第一のテーブルと、複数の故障モードに対応して各部位の故障率の相対値が予め設定されている第二のテーブルとを有し、第一のテーブルを用いて入力される複数のモニタ信号の組み合わせから当該送信装置の故障モードを検出し、第二のテーブルを用いて検出された故障モードにおける故障率の相対値が最も大きい部位を故障部位であると判定する故障判定部２を備える。【選択図】図１
2005311587.tif 000002
【特許請求の範囲】
【請求項１】
ＲＦ信号の発生・変調を行うＲＦ変調部と、上記ＲＦ変調部から出力される信号を増幅するＲＦ増幅部と、上記ＲＦ増幅部から出力される信号を放射する出力アンテナと、これらに電源を供給する電源部とで構成された送信装置の故障部位を判定する故障部位判定装置であって、
上記ＲＦ変調部、ＲＦ増幅部、出力アンテナおよび電源部から出力される各部位の動作異常の有無を示す複数のモニタ信号の組み合わせに対応して送信装置の複数の故障モードが予め設定されている第一のテーブルと、上記複数の故障モードに対応して上記各部位の故障率の相対値が予め設定されている第二のテーブルとを有し、
上記第一のテーブルを用いて入力される複数のモニタ信号の組み合わせから当該送信装置の故障モードを検出し、第二のテーブルを用いて検出された故障モードにおける故障率の相対値が最も大きい部位を故障部位であると判定する故障判定部を備えたことを特徴とする送信装置の故障部位判定装置。
【請求項２】
ＲＦ信号の発生・変調を行うＲＦ変調部と、上記ＲＦ変調部から出力される信号を増幅するＲＦ増幅部と、上記ＲＦ増幅部から出力される信号を放射する出力アンテナと、これらに電源を供給する電源部とで構成された送信装置の故障部位を判定する故障部位判定方法であって、
上記ＲＦ変調部、ＲＦ増幅部、出力アンテナおよび電源部から出力される各部位の動作異常の有無を示す複数のモニタ信号の組み合わせによって送信装置の複数の故障モードが予め設定されている第一のテーブルを用いて、入力される複数のモニタ信号の組み合わせから当該送信装置の故障モードを検出する第１のステップと、
上記複数の故障モードに対応して上記各部位の故障率の相対値が予め設定されている第二のテーブルを用いて検出された故障モードにおける故障率の相対値が最も大きい部位を故障部位であると判定する第二のステップを有したことを特徴とする送信装置の故障部位判定方法。
【発明の詳細な説明】
【技術分野】
【０００１】
この発明は、ＲＦ信号を送信する送信装置の故障部位を判定するための故障部位判定装置および故障部位判定方法に関するものである。
【背景技術】
【０００２】
ＲＦ信号の発生・変調を行うＲＦ変調部、ＲＦ変調部から出力される信号を増幅するＲＦ増幅部、ＲＦ増幅部から出力される信号を放射する出力アンテナ、これらに電源を供給する電源部などの複数の部位で構成された送信装置では、故障が発生した場合に、故障を検出し、故障した部位の交換・修理するために、故障部位を特定（判定）できる故障部位判定装置あるいは故障部位判定方法が必要である。
図３は、従来の送信装置における故障部位判定装置の構成を示すブロック図である。
図に示すように、従来の装置は、電源部３からは電源部３の異常の有無を検出するためのモニタ信号３ａが出力され、電源部故障検出回路２１はモニタ信号３ａに基づいて電源部３の故障を検出する。
【０００３】
また、ＲＦ信号の発生・変調を行うＲＦ変調部４からはＲＦ変調部４の異常の有無を示すモニタ信号４ａが出力され、ＲＦ変調部故障検出回路２２はモニタ信号４ａに基づいてＲＦ変調部４の故障を検出する。
また、ＲＦ増幅部５からはＲＦ増幅部５の異常の有無を示すモニタ信号５ａが出力され、ＲＦ増幅部故障検出回路２３はこのモニタ信号５ａに基づいてＲＦ増幅部５の故障を検出する。
また、出力アンテナ６からは出力アンテナ６の異常の有無を示すモニタ信号６ａが出力され、出力アンテナ故障検出回路２４はモニタ信号６ａに基づいて出力アンテナ６の故障を検出する。
即ち、送信装置を構成する各部位に対応する故障検出回路をそれぞれ設けて、いずれの故障検出回路が故障の検出を行ったのかによって、どの部位が故障したのか判定する。
【０００４】
なお、特許文献１には、故障率を用いて送信装置の故障部位を判定するものではないが、「装置の故障間隔の長さを基準にして、複数の点検プログラムをグループ分けし、かつ、故障間隔の長さに応じて各グループの各点検プログラムの実行間隔を決め、同じグループの複数の点検プログラムの各実行時において一つの点検プログラムでも点検結果が不良のときは、そのグループの点検動作を終了することを特徴とする装置の検査方法」が開示されており、また、この検査方法を用いることにより比較的少ない総点検実行時間で故障検出ができ、特に、各グループの各点検プログラムの実行間隔を故障間隔が長いグループの各点検プログラムの実行間隔ほど長くすることで、効率よく故障検出できることが記載されている。
【特許文献１】特開平１１―８５５５７号公報（図１、段落００１１）
【発明の開示】
【発明が解決しようとする課題】
【０００５】
従来の送信装置の故障部位判定装置（図３）においては、送信装置の動作状況を各構成部位から得られる故障の有無を示すモニタ信号を、各構成部位に対応して設けられた故障検出回路により故障部位を判定している。
しかし、一つの部位の故障が送信装置を構成する複数の部位で検出される可能性があるため、この場合は、故障した部位を高い確率で判定することは難しいという問題点があった。
この発明は、複数の構成部位からなる送信装置において、故障が発生した場合に、容易に高い確率で故障部位を判定できる故障部位判定装置および故障部位判定方法を提供することを目的とする。
【課題を解決するための手段】
【０００６】
本発明による送信装置の故障部位判定装置は、ＲＦ信号の発生・変調を行うＲＦ変調部と、上記ＲＦ変調部から出力される信号を増幅するＲＦ増幅部と、上記ＲＦ増幅部から出力される信号を放射する出力アンテナと、これらに電源を供給する電源部とで構成された送信装置の故障部位を判定する故障部位判定装置であって、
上記ＲＦ変調部、ＲＦ増幅部、出力アンテナおよび電源部から出力される各部位の動作異常の有無を示す複数のモニタ信号の組み合わせに対応して送信装置の複数の故障モードが予め設定されている第一のテーブルと、上記複数の故障モードに対応して上記各部位の故障率の相対値が予め設定されている第二のテーブルとを有し、
上記第一のテーブルを用いて入力される複数のモニタ信号の組み合わせから当該送信装置の故障モードを検出し、第二のテーブルを用いて検出された故障モードにおける故障率の相対値が最も大きい部位を故障部位であると判定する故障判定部を備えたものである。
【０００７】
また、本発明による送信装置の故障部位判定方法は、ＲＦ信号の発生・変調を行うＲＦ変調部と、上記ＲＦ変調部から出力される信号を増幅するＲＦ増幅部と、上記ＲＦ増幅部から出力される信号を放射する出力アンテナと、これらに電源を供給する電源部とで構成された送信装置の故障部位を判定する故障部位判定方法であって、
上記ＲＦ変調部、ＲＦ増幅部、出力アンテナおよび電源部から出力される各部位の動作異常の有無を示す複数のモニタ信号の組み合わせによって送信装置の複数の故障モードが予め設定されている第一のテーブルを用いて、入力される複数のモニタ信号の組み合わせから当該送信装置の故障モードを検出する第１のステップと、
上記複数の故障モードに対応して上記各部位の故障率の相対値が予め設定されている第二のテーブルを用いて検出された故障モードにおける故障率の相対値が最も大きい部位を故障部位であると判定する第二のステップを有したものである。
【発明の効果】
【０００８】
本発明によれば、送信装置を構成する複数の部位の異常の有無を示すモニタ信号の組み合わせから、当該送信装置の故障モードを検出し、検出された故障モードにおいて故障率の相対値が最も大きい部位を故障部位であると判定するので、高い確率で故障部位を判定することが可能となる。
【発明を実施するための最良の形態】
【０００９】
実施の形態１．
以下、図面に基づいて、本発明の一実施の形態について説明する。
図１は、本発明の実施の形態１に係る「送信装置の故障部位判定装置」の構成を示すブロック図である。
図において、４はＲＦ信号の発生・変調を行うＲＦ変調部、５はＲＦ変調部から出力される信号を増幅するＲＦ増幅部、６はＲＦ増幅部から出力される信号を放射する出力アンテナ、３はＲＦ変調部４、ＲＦ増幅部５および出力アンテナ６にＤＣ電源を供給する電源部である。
【００１０】
また、１は、ＲＦ変調部４、ＲＦ増幅部５、出力アンテナ６および電源部３の動作状態をモニタするためのモニタ信号を受け、各部（即ち、ＲＦ変調部４、ＲＦ増幅部５、出力アンテナ６および電源部３）の動作（オン／オフ動作）あるいは装置全体の動作制御を行う制御部である。
また、２は、該制御部１内に設けられ、ＲＦ変調部４、ＲＦ増幅部５、出力アンテナ６および電源部３で構成された送信装置の故障部位を判定する故障部位判定部である。
図に示すように、電源部３からは電源部３の異常の有無を検出するためのモニタ信号３ａが、ＲＦ変調部４からはＲＦ変調部４の異常の有無を検出するためのモニタ信号４ａが、ＲＦ増幅部５からはＲＦ増幅部５の異常の有無を検出するためのモニタ信号５ａが、出力アンテナ６からは出力アンテナ６の異常の有無を検出するためのモニタ信号６ａが出力されている。
そして、これらのモニタ信号３ａ、４ａ、５ａ、６ａは、制御部１に設けられた故障判定部２に入力されている。
【００１１】
故障判定部２は、電源部３、ＲＦ変調部４、ＲＦ増幅部５、出力アンテナ６から出力される各部位の動作異常の有無を示す複数のモニタ信号３ａ、４ａ、５ａ、６ａの組み合わせによって送信装置がどのような故障モードであるのかが予め設定されている第一のテーブル（図示なし）を有している。
故障判定部２は、まず、第一のテーブルを用いて、電源部３、ＲＦ変調部４、ＲＦ増幅部５、および出力アンテナ６の各部位から出力される動作異常の有無を示す複数のモニタ信号３ａ、４ａ、５ａ、６ａの組み合わせから送信装置の故障モードを検出する。
なお、図１では、各部位（即ち、電源部３、ＲＦ変調部４、ＲＦ増幅部５および出力アンテナ６のこと）からは単一のモニタ信号が出力されているように描かれているが、各部位のいずれかあるいは全てから複数のモニタ信号が出力されていてもよい。例えば、ＲＦ変調部４から２または３種類の異常を示すモニタ信号が出力されていてもよい。
そして、第一のテーブルは、これらのモニタ信号の組み合わせによって送信装置がどのような故障モードであるのかが予め設定されていてもよい。
【００１２】
また、図２は故障判定部２の故障部位判定動作を説明するための図であり、電源部３、ＲＦ変調部４、ＲＦ増幅部５および出力アンテナ６から出力される動作異常の有無を示す複数のモニタ信号（３ａ、４ａ、５ａ、６ａ）の組み合わせによって検出される複数の故障モードと、それぞれの故障モードにおいて、いずれの部位の故障率が高いかを表す故障率の相対値（予め設定されている）およびこの故障率の相対値に基づいてどの部位が最も高いかを判定した判定結果の例を示している。
即ち、図２は、複数の故障モードのそれぞれに対応して各部位の故障率の相対値が予め設定されている第二のテーブルを表している。
【００１３】
例えば、図２において、故障モード１は、ＲＦ出力レベルが低下した場合の故障モードであり、この故障モードに対しては、制御部１の相対故障率は“０”、電源部３の相対故障率は“１．５”、ＲＦ変調部４の相対故障率は“２”、ＲＦ増幅部５の相対故障率は“４”、出力アンテナ６の相対故障率は“１”として、予め設定されている。
即ち、故障モード１においては、ＲＦ増幅部５が故障している確率が他の部位より最も高いことが判る。
従って、故障判定部２は、各部位から入力される複数のモニタ信号（３ａ、４ａ、５ａ、６ａ）の組み合わせによって、送信装置の故障が故障モード１であることを検出すると、
図２（即ち、第二のテーブル）に基づいて、故障モード１においては故障が発生している確率の最も高い部位はＲＦ増幅部５であると判定する。
【００１４】
また、故障モード２は、ＲＦ変調レベルが異常の場合の故障モードであり、この場合は第二のテーブルに基づいて、故障判定部２は、故障が発生している確率の最も高い部位はＲＦ変調部４であると判定する。
また、故障モード３は、ＲＦ出力の反射レベルが異常の場合の故障モードであり、この場合は第二のテーブルに基づいて、故障判定部２は、故障が発生している確率の最も高い部位はＲＦ増幅部５であると判定する。
また、故障モード４は、制御機能が異常の場合の故障モードであり、この場合は第二のテーブルに基づいて、故障判定部２は、故障が発生している確率の最も高い部位は制御部１であると判定する。
【００１５】
以上説明したように、本実施の形態による送信装置の故障部位判定装置は、ＲＦ信号の発生・変調を行うＲＦ変調部４と、ＲＦ変調部４から出力される信号を増幅するＲＦ増幅部５と、ＲＦ増幅部５から出力される信号を放射する出力アンテナ６と、これらに電源を供給する電源部３とで構成された送信装置の故障部位を判定する故障部位判定装置であって、ＲＦ変調部４、ＲＦ増幅部５、出力アンテナ６および電源部３から出力される各部位の動作異常の有無を示す複数のモニタ信号の組み合わせに対応して送信装置の複数の故障モードが予め設定されている第一のテーブルと、複数の故障モードに対応して各部位の故障率の相対値が予め設定されている第二のテーブルとを有し、第一のテーブルを用いて入力される複数のモニタ信号の組み合わせから当該送信装置の故障モードを検出し、第二のテーブルを用いて検出された故障モードにおける故障率の相対値が最も大きい部位を故障部位であると判定する故障判定部２を備えている。
【００１６】
また、本発明による送信装置の故障部位判定方法は、ＲＦ信号の発生・変調を行うＲＦ変調部４と、ＲＦ変調部４から出力される信号を増幅するＲＦ増幅部５と、ＲＦ増幅部５から出力される信号を放射する出力アンテナ６と、これらに電源を供給する電源部３とで構成された送信装置の故障部位を判定する故障部位判定方法であって、ＲＦ変調部４、ＲＦ増幅部５、出力アンテナ６および電源部３から出力される各部位の動作異常の有無を示す複数のモニタ信号の組み合わせによって送信装置の複数の故障モードが予め設定されている第一のテーブルを用いて、入力される複数のモニタ信号の組み合わせから当該送信装置の故障モードを検出する第１のステップと、複数の故障モードに対応して各部位の故障率の相対値が予め設定されている第二のテーブルを用いて検出された故障モードにおける故障率の相対値が最も大きい部位を故障部位であると判定する第二のステップを有している。
【００１７】
本実施の形態によれば、送信装置を構成する複数の部位の異常の有無を検出するモニタ信号の組み合わせから当該送信装置の故障モードを検出し、検出された故障モードに対応する故障率の最も大きい部位を故障部位であると判定するので、高い確率で故障部位を判定することが可能となる。
更に、故障部位の判定を精度よく容易に判定できるので、故障復帰時間を短縮することもでき、送信装置の運用性を高めることができる。
【産業上の利用可能性】
【００１８】
この発明は、送信装置の故障部位を高い確率で精度よく判定することが可能な送信装置の故障部位判定装置および故障部位判定方法の実現に有用である。
【図面の簡単な説明】
【００１９】
【図１】実施の形態１による送信装置の故障部位判定装置の構成を示すブロック図である。
【図２】実施の形態１による送信装置の故障部位判定装置における故障判定部の動作を説明するための図である。
【図３】従来の故障部位判定装置の構成を示すブロック図である。
【符号の説明】
【００２０】
１：制御部        ２：故障判定部      ３：電源部
４：ＲＦ変調部    ５：ＲＦ増幅部      ６：出力アンテナ
【図１】
2005311587.tif 000003
【図２】
2005311587.tif 000004
【図３】
2005311587.tif 000005